(57)【要約】【課題】  動画像の撮影中に撮影される静止画像の記録枚数に制限を付けないようにする。【解決手段】  静止画像データを動画記録中に静止画バッファ１０５に一時的に記録し、一時的に記録した静止画像データを、動画記録休止期間にディスクメディア１１１に記録する。この際、静止画バッファ１０５内の全静止画像データのデータ量が、１回の動画記録休止期間内に記録可能なデータ量を越えている場合には、１回の動画記録休止期間で記録可能なデータ量に収まるだけの枚数の静止画像データをディスクメディア１１１に記録する。そして、残りの静止画像データについては次回以降の動画記録休止期間に持ち越す。【選択図】  図１
2005192144.tif 000002
【特許請求の範囲】
【請求項１】
撮像手段と、
前記撮像手段により得られた画像データを記録媒体に記録する記録手段と、
前記撮像手段により得られた動画像データを所定の記録単位毎に間欠的に前記記録媒体に記録すると共に、前記撮像手段による動画像データの撮影中に得られた静止画像データを、前記動画像データの間欠的な記録動作における非記録期間に前記記録媒体に記録するよう前記記録手段を制御する制御手段とを備えることを特徴とする撮像装置。
【請求項２】
前記撮像手段から出力された映像信号を所望の動画像データに変換し、変換した動画像データを、動画バッファメモリに一時的に記憶する動画像信号処理手段と、
前記撮像手段から出力された映像信号を所望の静止画像データに変換し、変換した静止画像データを、静止画バッファメモリに一時的に記憶する静止画像信号処理手段とを備え、
前記静止画像信号処理手段は、前記撮像手段により動画像が撮影されているときに、ユーザによりなされた静止画像の撮影指示に従って前記撮像手段から出力された映像信号を、静止画像データに変換して前記静止画バッファメモリに一時的に記憶し、
前記制御手段は、前記動画バッファメモリに一時的に記憶された所定の長さの動画像データを動画像記録単位として前記記録媒体に記録すると共に、前記動画像記録単位の動画像データの記録と、次の動画像記録単位の動画像データの記録との間に、前記静止画バッファメモリから所定の量の静止画像データを読み出して前記記録媒体に記録することを特徴とする請求項１に記載の撮像装置。
【請求項３】
前記制御手段は、前記静止画像データの前記記録媒体における物理的な記録領域と、前記所定の記録単位の動画像データの前記記録媒体における物理的な記録領域とが隣接するように、前記記録手段を制御することを特徴とする請求項１又は２に記載の撮像装置。
【請求項４】
前記制御手段は、前記静止画像データの前記記録媒体における物理的な記録領域が、前記所定の記録単位の動画像データの前記記録媒体における物理的な記録領域に隣接するアフレコ領域となるように、前記記録手段を制御することを特徴とする請求項３に記載の撮像装置。
【請求項５】
前記制御手段は、前記動画像データの非記録期間に、前記静止画像データの全てを前記記録媒体に記録できない場合には、前記動画像データの非記録期間に記録可能な分の静止画像データを前記記録媒体に記録するよう前記記録手段を制御し、残りの静止画像データについては、前記動画像データの次回の非記録期間で前記記録媒体に記録するよう前記記録手段を制御することを特徴とする請求項１〜４の何れか１項に記載の撮像装置。
【請求項６】
前記制御手段は、前記静止画バッファメモリに一時的に記憶されている静止画像データが、前記アフレコ領域の容量よりも大きい場合には、前記アフレコ領域の容量を越えない大きさで前記静止画像データを前記アフレコ領域に記録するよう前記記録手段を制御し、記録しなかった残りの静止画像データについては、前記動画像データの次回の非記録期間で前記アフレコ領域に記録するよう前記記録手段を制御することを特徴とする請求項４に記載の撮像装置。
【請求項７】
前記制御手段は、前記静止画像データの前記記録媒体における物理的な記録領域が、アフレコ領域となるように前記記録手段を制御することを特徴とする請求項１〜３の何れか１項に記載の撮像装置。
【請求項８】
前記アフレコ領域は、前記所定の記録単位の動画像データを記録する領域に隣接する１次アフレコ領域と、前記所定の記録単位の動画像データを記録する領域に依存しない所定の容量を有する２次アフレコ領域とを持ち、
前記制御手段は、前記静止画像データの前記記録媒体における物理的な記録領域が、２次アフレコ領域になるようにすると共に、前記２次アフレコ領域に記録された前記静止画像データの記録位置の情報が、前記１次アフレコ領域に記録されるように、前記記録手段を制御することを特徴とする請求項７に記載の撮像装置。
【請求項９】
前記記録媒体は、ディスクメディアであり、
前記記録手段は、記録ヘッダであることを特徴とする請求項１〜８の何れか１項に記載の撮像装置。
【請求項１０】
ユーザの操作に従って、前記撮像手段に、動画像の撮影開始を指示する動画像撮影開始指示手段と、
ユーザの操作に従って、前記撮像手段に、動画像の撮影停止を指示する動画像撮影停止指示手段と、
ユーザの操作に従って、前記撮影手段に、静止画像の撮影を指示する静止画撮影指示手段とを備えることを特徴とする請求項１〜９の何れか１項に記載の撮像装置。
【請求項１１】
撮像手段により得られた動画像データを所定の記録単位毎に間欠的に記録媒体に記録すると共に、前記撮像手段による動画像データの撮影中に得られた静止画像データを、前記動画像データの間欠的な記録動作における非記録期間に前記記録媒体に記録することを特徴とする撮像画像記録方法。
【請求項１２】
撮像手段により得られた動画像データを所定の記録単位毎に間欠的に記録媒体に記録すると共に、前記撮像手段による動画像データの撮影中に得られた静止画像データを、前記動画像データの間欠的な記録動作における非記録期間に前記記録媒体に記録することをコンピュータに実行させることを特徴とするコンピュータプログラム。
【請求項１３】
撮像手段により得られた動画像データを所定の記録単位毎に間欠的に記録媒体に記録すると共に、前記撮像手段による動画像データの撮影中に得られた静止画像データを、前記動画像データの間欠的な記録動作における非記録期間に前記記録媒体に記録することをコンピュータに実行させるためのコンピュータプログラムを記録したことを特徴とするコンピュータ読み取り可能な記録媒体。
【発明の詳細な説明】
【技術分野】
【０００１】
本発明は、撮像装置、撮像画像記録方法、コンピュータプログラム、及びコンピュータ読み取り可能な記録媒体に関し、特に、撮像した動画像データおよび静止画像データを記録するために用いて好適なものである。
【背景技術】
【０００２】
従来の技術では、１つのデジタルビデオカメラを使用して、動画像と静止画像とを記録する場合、動画像撮影用のモードと静止画撮影用のモードとを切り替えて撮影するようにしていた。また、モードの切り替えを行わない場合でも、動画像の撮影の開始及び停止を指示するための開始・停止ボタンと、静止画像の撮影を指示するための撮影ボタンとを分けてデジタルカメラに用意し、動画像の撮影中は静止画像の撮影を禁止し、動画像の撮影を停止した後に、静止画像の撮影を可能とするものがあった。また、特開平９−２３３４１０号公報に記載されているように、動画像の撮影中に静止画像を撮影した場合は、その静止画像データを内蔵のメモリに一時的に記憶し、動画像の撮影が終了した後に、一時的に記憶した静止画像データをまとめて記録媒体に記録する技術が提案されている。
【０００３】
【特許文献１】特開平９−２３３４１０号公報
【発明の開示】
【発明が解決しようとする課題】
【０００４】
しかしながら、前述した従来の技術のように、動画像の撮影が終了した後に、まとめて静止画像データを記録する方式では、動画像の撮影中に記録できる静止画像の枚数が、一時保存用のメモリの容量により制限されてしまうという問題点があった。
【０００５】
本発明は、このような問題点に鑑みてなされたものであり、動画像の撮影中に撮影される静止画像の記録枚数に制限を付けないようにすることを第１の目的とする。
また、動画像データの記録を妨げることなく静止画像データを記録することができるようにすることを第２の目的とする。
【課題を解決するための手段】
【０００６】
本発明の撮像装置は、撮像手段と、前記撮像手段により得られた画像データを記録媒体に記録する記録手段と、前記撮像手段により得られた動画像データを所定の記録単位毎に間欠的に前記記録媒体に記録すると共に、前記撮像手段による動画像データの撮影中に得られた静止画像データを、前記動画像データの間欠的な記録動作における非記録期間に前記記録媒体に記録するよう前記記録手段を制御する制御手段とを備えることを特徴とする。
【０００７】
本発明の撮像画像記録方法は、撮像手段により得られた動画像データを所定の記録単位毎に間欠的に記録媒体に記録すると共に、前記撮像手段による動画像データの撮影中に得られた静止画像データを、前記動画像データの間欠的な記録動作における非記録期間に前記記録媒体に記録することを特徴とする。
【０００８】
本発明のコンピュータプログラムは、撮像手段により得られた動画像データを所定の記録単位毎に間欠的に記録媒体に記録すると共に、前記撮像手段による動画像データの撮影中に得られた静止画像データを、前記動画像データの間欠的な記録動作における非記録期間に前記記録媒体に記録することをコンピュータに実行させることを特徴とする。
本発明のコンピュータ読み取り可能な記録媒体は、撮像手段により得られた動画像データを所定の記録単位毎に間欠的に記録媒体に記録すると共に、前記撮像手段による動画像データの撮影中に得られた静止画像データを、前記動画像データの間欠的な記録動作における非記録期間に前記記録媒体に記録することをコンピュータに実行させるためのコンピュータプログラムを記録したことを特徴とする。
【発明の効果】
【０００９】
本発明によれば、撮像手段により得られた動画像データを所定の記録単位毎に間欠的に記録媒体に記録すると共に、前記撮像手段による動画像データの撮影中に得られた静止画像データを、前記動画像データの間欠的な記録動作における非記録期間に前記記録媒体に記録するようにしたので、動画像の記録を妨げることなく、静止画像を記録することが可能になるとともに、記録媒体に記録できる領域がある限り、何枚でも静止画像を記録することが可能になる。
【発明を実施するための最良の形態】
【００１０】
以下、図面を参照しながら、本発明の一実施形態を説明する。
図１は、本実施形態における撮像装置の構成の一例を示すブロック図である。
【００１１】
図１において、１０１は、映像を電気信号に変換する撮像手段、１０２は、撮像手段１０１により得られた電気信号を所望の動画像データに変換する動画エンコーダ、１０４は動画エンコーダ１０２からの出力データを一時的に保存する動画バッファである。
また、１０３は、撮像手段１０１により得られた電気信号を所望の静止画像データに変換する静止画エンコーダ、１０５は、静止画エンコーダ１０３からの出力データを一時的に保存する静止画バッファである。
【００１２】
１０６は、動画像の撮影の開始及び停止と、静止画像の撮影とを、ユーザが指示するためのコントローラであり、システム制御部１０７に指示を与える。システム制御部１０７には、タイマ手段１０８があり、動画像の撮影の際に、ディスクメディア１１１に記録する１単位分のデータを、所望の時間で区切ることができる。なお、このように、タイマ手段１０８を用いて時間で記録単位を決定する以外に、動画バッファ１０４に蓄えられたデータ量で記録単位を決定することも可能である。
１０９は、記録ヘッダ１１０を制御してディスクメディア１１１に、動画像データや静止画像データを記録する記録制御部であり、動画バッファ１０４に保存されている動画像データ、および静止画バッファ１０５に保存されている静止画像データを、ディスクメディア１１１に記録する動作を制御する。
なお、システム制御部１０７は、例えば、撮像装置を統括制御するＣＰＵ、撮像装置を制御するための制御プログラム等が記録されたＲＯＭ、及びＣＰＵが制御プログラムを実行する際のワークエリアとなるＲＡＭ等により構成される。
【００１３】
図２は、動画像を撮影している最中に、静止画像を撮影して得られた動画像データと静止画像データとを記録するタイミングの一例を示すタイミングチャートである。
【００１４】
図２において、上から、動画エンコード、静止画エンコード、動画記録、静止画記録の動作状態を示している。また、最下段の三角のマークは、静止画像の撮影を指示するためのキー入力を示している。
ここで、動画エンコードとは、動画エンコーダ１０２の出力を動画バッファ１０４に一時的に保存する処理であり、静止画エンコードとは、静止画エンコーダ１０３の出力を静止画バッファ１０５に一時的に保存する処理である。また、動画記録とは、動画バッファ１０４に保存されている動画像データを、記録ヘッド１１０によりディスクメディア１１１に記録する処理であり、静止画記録とは、静止画バッファ１０５に保存されている静止画像データを、記録ヘッド１１０によりディスクメディア１１１に記録する処理である。動画エンコードと、静止画エンコードと、記録系の処理である動画記録あるいは静止画記録のどちらか一方とは、使用する回路が異なるため、これらは平行して処理することができる。これに対し、記録系の処理における動画記録と静止画記録とは、記録ヘッド１１０が１つであることから同時に処理できない。
【００１５】
また、本実施形態では、符号化後の動画像データのデータレートよりも、ディスクメディア１１１に対して記録可能なデータレートの方が高いため、所定の記録単位毎で間欠的に動画像データを記録する。
この様に、動画像データを間欠的に記録することを利用して、動画像データと静止画像データとの記録処理をスケジューリングするために、タイマ手段１０８により動画エンコードの１単位分の時間を測定する。そして、動画エンコードが１単位分終わったタイミング（Ｔ２１４、Ｔ２１６、Ｔ２１８、Ｔ２２０）で動画記録を開始する。そして、１単位分の動画記録が終わったタイミング（Ｔ２１５、Ｔ２１７、Ｔ２１９）から次の動画エンコード１単位分が終わったタイミング（Ｔ２１６、Ｔ２１８、Ｔ２２０）までの間の動画記録休止期間に静止画記録を行う。
なお、本実施形態において、動画像の記録単位は動画バッファ１０４の記憶容量とディスク１１１への記録レート、及び、動画像データのデータレート（圧縮率）によって決まるが、大体数フレーム分を単位とする。
例えば、バッファ１０４の容量が少ない場合や動画像データのデータレートが高い場合などは記録単位が短くなり、逆に、バッファ１０４の容量が大きい場合や、動画像データのデータレートが低い場合、あるいはディスク１１１の書き込みレートが高い場合などは数十フレームを単位として記録することも可能である。
【００１６】
図２のタイミングチャートを用いて以上の処理を具体的に説明する。まず、タイミングＴ２１６では、動画エンコード単位２０１を終了し、動画記録単位２１０を開始する。また、タイミングＴ２１８でも同様に、動画エンコード単位２０２を終了し、動画記録単位２１１を開始する。一方、動画記録単位２１６が終わったタイミングＴ２１５から、次の動画エンコード単位２０１が終了するタイミングＴ２１６までの動画記録休止期間に、静止画エンコード単位２０４および２０５により静止画バッファ１０５に一時的に保存された静止画像データを、静止画記録単位２１２および２１３の順でディスクメディア１１１に記録する。静止画バッファ１０５内で記録対象となる静止画像データは、前回の動画記録が終了してから、今回の動画記録が終了するまでの間の期間に保存された静止画像データである。
【００１７】
図２では、タイミングＴ２１５〜Ｔ２１７の間に静止画バッファ１０５に一時的に保存された静止画像データ（静止画面コード２０６〜２０９により静止画バッファ１０５に一時的に保存された静止画像データ）が、タイミングＴ２１７〜Ｔ２１８の動画記録休止期間に静止画記録する対象となる。よって、静止画エンコード単位２０６により静止画バッファ１０５に一時的に保存された静止画像データを、静止画記録単位２１４によりディスクメディア１１１に記録する処理を、タイミングＴ２１７で開始する。また、図２に示すタイミングチャートの例では、静止画エンコード単位２０６〜２０９により静止画バッファ１０５に一時的に保存された静止画像データが多すぎる。このため、タイミングＴ２１８までに全ての静止画像データをディスクメディア１１１に記録することができない。具体的に説明すると、この例では、静止画エンコード単位２０９により静止画バッファ１０５に一時的に保存された静止画像データがあふれるため、この静止画像データについては、次回のタイミングＴ２１９に持ち越され、静止画記録単位２１５によりディスクメディア１１１に記録される。
【００１８】
図３は、静止画像データをディスクメディア１１１に記録する際の撮像装置の動作の一例を説明するフローチャートである。すなわち、図２に示したタイミングチャート中の動画記録終了のタイミング（Ｔ２１５、Ｔ２１７、Ｔ２１９）から、動画エンコードが１単位分終わったタイミング（Ｔ２１６、Ｔ２１８、Ｔ２２０）まで（動画記録休止期間）の間におけるアルゴリズムの一例を示したフローチャートである。
【００１９】
動画記録を終了すると、まず、ステップＳ３０１で、記録制御部１０９は、静止画バッファ１０５に静止画像データが記録されているかどうかを確認する。この確認の結果、静止画バッファ１０５に静止画像データが無い場合には、そのまま静止画記録を終了する。一方、静止画バッファ１０５に静止画像データがあった場合には、ステップＳ３０２に進み、記録制御部１０９は、静止画バッファ１０５内の全静止画像データのデータ量が、１回の動画記録休止期間内に記録可能な量であるか判定する。
【００２０】
この判定の結果、静止画バッファ１０５内の全静止画像データのデータ量が、１回の動画記録休止期間内に記録可能なデータ量である場合には、ステップＳ３０３に進み、記録制御部１０９は、全静止画像データを記録対象とする。一方、静止画バッファ１０５内の全静止画像データのデータ量が、１回の動画記録休止期間内に記録可能な量を越えている場合には、ステップＳ３０４に進み、記録制御部１０９は、静止画バッファ１０５に最後に保存した静止画像データから逆順に記録対象から外し、１回の動画記録休止期間で記録可能なデータ量に収まるだけの枚数の静止画像データを記録対象とする。そして、それ以外の静止画像データについては次回の動画記録休止期間に持ち越す。
【００２１】
以上のように、ステップＳ３０３、Ｓ３０４において、記録対象とする静止画像データが決まれば、ステップＳ３０５に進み、記録制御部１０９は、記録対象とした静止画像データを、静止画バッファ１０５からディスクメディア１１１に記録すべく記録ヘッダ１１０を制御する。これにより、ステップＳ３０３、Ｓ３０４で記録対象とした静止画像データがディスクメディア１１１に記録され、静止画記録処理が終了する。ここで、ステップＳ３０２〜Ｓ３０４の処理により、次回の動画記録を開始するタイミングよりも前に静止画記録を終了することが保証されている。このため、記録ヘッダ１１０が１つでも問題なく連続的に動画撮影を行うことが継続可能である。
【００２２】
図４は、データ量が大きい１枚の静止画像データをディスクメディア１１１に記録する際の撮像装置の動作の一例を説明するフローチャートである。すなわち、１枚の静止画像データが動画記録休止期間に保存可能なデータ量以上になる場合のアルゴリズムの一例を示したフローチャートである。なお、図４のフローチャートにおいて、図３に示したフローチャートと同一のステップについては、図３に付した符号と同一の符号を付して詳細な説明を省略する。
【００２３】
図４のフローチャートでは、図３におけるステップＳ３０４に代わって、ステップＳ４０１の処理を行う。すなわち、ステップＳ３０２において、静止画バッファ１０５内の１枚の静止画像データのデータ量が、１回の動画記録休止期間内に記録可能な量を越えていると判定された場合には、ステップＳ４０１に進み、記録制御部１０９は、静止画バッファ１０５内に残っている静止画像データの先頭から１回の記録で可能な量だけを記録対象とし、記録対象とした静止画像データの最後と、残した静止画像データの先頭に、分割していることを示すマーカー情報を付与しておく。その後、ステップＳ３０５で、図３と同様に、記録制御部１０９は、記録対象とした静止画像データをディスクメディア１１１にすべく記録ヘッダ１１０を制御する。これにより、記録対象とした静止画像データがディスクメディア１１１に記録される。次回の動画記録休止期間では、ステップＳ４０１で残した静止画像データの先頭から１回の動画記録休止期間で記録可能なデータ量を記録対象としてディスクメディア１１１に記録することを繰り返して、１枚分の静止画像データを記録する。
【００２４】
図５は、ディスクメディア１１１のデータトラックの一例を示した図である。
本実施形態では、ディスクメディア１１１の動画記録領域５０１ａ〜５０１ｃに隣接するように静止画記録領域５０２ａ〜５０２ｃを確保するようにしている。そして、例えば、図２に示した動画記録単位２１０を動画領域５０１ａに記録し、静止画記録単位２１４からつながる３枚の静止画像データを静止画記録領域５０２ａに記録する。このようにすることで、記録ヘッダ１１０のシーク量を最小限に抑えることが可能となる。
ここで、静止画記録領域５０２ａ〜５０２ｃは、動画記録領域５０１ａ〜５０２ｃに隣接していればよく、アフレコ領域として確保された領域を、静止画記録領域５０２ａとして流用することも可能である。
【００２５】
図６は、実際のディスクメディア１１１上におけるデータトラックの位置の一例を示した図である。
図６に示した例では、記録は、ディスクメディア１１１の内側から開始し、同心円上に、動画記録領域６０１と静止画記録領域６０２とが交互に広がっていくように行われるようになる。なお、図６に示した動画記録領域６０１と静止画記録領域６０２は、ディスクメディア１１１における物理的な位置を示している。
【００２６】
また、図７は、実際のディスクメディア１１１上におけるデータトラックの位置の他の例を示した図である。なお、図７において、図６に示したものと同一の部分については、図６に示した符号と同一の符号を付している。
図７に示すように、アフレコ領域として、動画記録領域６０１に隣接した隣接アフレコ領域７０１を確保するとともに、動画記録領域６０１とは独立して動画記録休止期間に記録できるデータ量以上の量のエリアを有する独立アフレコ領域７０２を確保する。この独立アフレコ領域７０２に静止画像データを記録する。この際、隣接アフレコ領域７０１には、そのタイミングで記録すべき静止画像データの独立アフレコ領域７０２内での位置情報を記録することも可能である。なお、図７に示した隣接アフレコ領域７０１と独立アフレコ領域７０２は、ディスクメディア１１１における物理的な位置を示している。
【００２７】
以上のように本実施形態では、静止画像データを動画記録中に静止画バッファ１０５に一時的に記録し、一時的に記録した静止画像データを、動画記録休止期間にディスクメディア１１１に記録する。この際、静止画バッファ１０５内の全静止画像データのデータ量が、１回の動画記録休止期間内に記録可能なデータ量を越えている場合には、１回の動画記録休止期間で記録可能なデータ量に収まるだけの枚数の静止画像データをディスクメディア１１１に記録する。そして、残りの静止画像データについては次回以降の動画記録休止期間に持ち越す。これにより、ディスクメディア１１１に記録できる領域がある限り静止画像データを何枚でも記録することが可能になる。したがって、静止画像を一時的に保存する静止画バッファ（メモリ）１０５の容量を小さいものにすることが可能となり、安価で、使い勝手の良い撮像装置を提供することができる。また、ディスクへのアクセス速度の遅い記録制御部（ディスクドライブ）１０９でも、動画像データの記録を妨げることなく、静止画像データの同時記録が可能となる。
【００２８】
また、ディスクメディア１１１の動画記録領域５０１ａ〜５０１ｃに隣接するように静止画記録領域５０２ａ〜５０２ｃを確保するようにしたので、記録ヘッド１１０のシーク量を最小限に抑えることができる。これにより、記録ヘッド１１０の移動による消費電力を最小限に抑えることができる。
【００２９】
また、静止画バッファ１０５内の１枚の静止画像データのデータ量が、１回の動画記録休止期間内に記録可能な量を越えている場合には、静止画像データの先頭から１回の記録で可能な量だけを記録対象とし、記録対象とした静止画像データの最後と、残した静止画像データの先頭に、分割していることを示すマーカー情報を付与する。そして、次回の動画記録休止期間では、前記残した静止画像データの先頭から１回の動画記録休止期間で記録可能なデータ量を記録対象とする。このような処理を繰り返して、１枚分の静止画像データを記録する。これにより、複数回に分けて１枚の静止画像データをディスクメディア１１１に記録する場合であっても、前記マーカー情報に基づいて、１枚の静止画像データをディスクメディア１１１に再形成することができる。したがって、データ量が大きい場合であっても、１枚の静止画像データを適切にディスクメディア１１１に記録することができる。
【００３０】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００３１】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３２】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００３３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００３４】
【図１】本発明の実施形態を示し、撮像装置の構成の一例を示すブロック図である。
【図２】本発明の実施形態を示し、動画像を撮影している最中に、静止画像を撮影して得られた動画像データと静止画像データとを記録するタイミングの一例を示すタイミングチャートである。
【図３】本発明の実施形態を示し、静止画像データをディスクメディアに記録する際の撮像装置の動作の一例を説明するフローチャートである。
【図４】本発明の実施形態を示し、データ量が大きい１枚の静止画像データをディスクメディアに記録する際の撮像装置の動作の一例を説明するフローチャートである。
【図５】本発明の実施形態を示し、ディスクメディアのデータトラックの一例を示した図である。
【図６】本発明の実施形態を示し、実際のディスクメディア上におけるデータトラックの位置の一例を示した図である。
【図７】本発明の実施形態を示し、実際のディスクメディア上におけるデータトラックの位置の他の例を示した図である。
【符号の説明】
【００３５】
１０１  撮像装置
１０２  動画エンコーダ
１０３  静止画エンコーダ
１０４  動画バッファ
１０５  静止画バッファ
１０６  コントローラ
１０７  システム制御部
１０８  タイマ手段
１０９  記録制御部
１１０  記録ヘッダ
１１１  ディスクメディア
２０１〜２０３  動画エンコード単位
２０４〜２０９  静止画エンコード単位
２１０、２１１、２１６  動画記録単位
２１２〜２１５  静止画記録単位
５０１  動画記録領域
５０２  静止画記録領域
６０１  動画記録領域の物理的な位置
６０２  静止画記録領域の物理的な位置
７０１  隣接アフレコ領域の物理的な位置
７０２  独立アフレコ領域の物理的な位置
【図１】
2005192144.tif 000003
【図２】
2005192144.tif 000004
【図３】
2005192144.tif 000005
【図４】
2005192144.tif 000006
【図５】
2005192144.tif 000007
【図６】
2005192144.tif 000008
【図７】
2005192144.tif 000009